(57)【特許請求の範囲】
【請求項１】
フード部を有する雄側ハウジングと、
前記フード部内に嵌合される雌側ハウジングと、
前記雌側ハウジング内に形成された端子収容室と、
前記端子収容室内に挿入される雌端子金具と、
前記フード部に設けられ、前記フード部内に位置する係止形態と、前記フード部外へ退避した退避形態との間で変位可能な係止部材と、
前記係止部材に形成され、前記フード部内に嵌合された前記雌側ハウジングを係止して抜止めするロック部と、
前記雌側ハウジングの外面から前記端子収容室内に連通した形態であって係止形態の前記係止部材を進入させる切欠部と、
前記切欠部に形成されて前記ロック部と係止可能なロック用受け部と、
前記係止部材に形成され、前記雌側ハウジングが前記フード部内に嵌合した状態において、前記雌端子金具を係止して抜止めする抜止部と、
前記端子収容室の内壁部のうち前記切欠部の開口縁内周部に連なる領域を基端部として片持ち状に延出した形態であって、前記雌端子金具を係止して抜止めするランスとを備えており、
前記ランスの前記基端部と前記切欠部の前記開口縁内周部が、前記ロック用受け部として機能するようになっていることを特徴とするコネクタ。
【請求項２】
前記係止部材が、前記フード部に対しヒンジ部を介して連なっていることを特徴とする請求項１記載のコネクタ。
【発明の詳細な説明】
【技術分野】
【０００１】
本発明は、コネクタに関するものである。
【背景技術】
【０００２】
特許文献１には、雄側ハウジングのフード部内に雌側ハウジングを嵌合するコネクタが開示されている。雌側ハウジングには、両ハウジングを嵌合状態にロックするためのロックアームが形成されているとともに、雌側ハウジングに取り付けた雌端子金具を抜止めするためのリテーナが設けられている。
【先行技術文献】
【特許文献】
【０００３】
【特許文献１】特開２０１２−０５９５０１号公報
【発明の概要】
【発明が解決しようとする課題】
【０００４】
上記のコネクタは、ハウジング同士を嵌合状態にロックするためのロックアームと、雌側ハウジングに挿入した雌端子金具を抜止めするためのリテーナが、互いに独立した手段として設けられているため、コネクタ全体としての構造が複雑化することは避けられない。
本発明は上記のような事情に基づいて完成されたものであって、構造の簡素化を図ることを目的とする。
【課題を解決するための手段】
【０００５】
本発明のコネクタは、
フード部を有する雄側ハウジングと、
前記フード部内に嵌合される雌側ハウジングと、
前記雌側ハウジング内に形成された端子収容室と、
前記端子収容室内に挿入される雌端子金具と、
前記フード部に設けられ、前記フード部内に位置する係止形態と、前記フード部外へ退避した退避形態との間で変位可能な係止部材と、
前記係止部材に形成され、前記フード部内に嵌合された前記雌側ハウジングを係止して抜止めするロック部と、
前記雌側ハウジングの外面から前記端子収容室内に連通した形態であって係止形態の前記係止部材を進入させる切欠部と、
前記切欠部に形成されて前記ロック部と係止可能なロック用受け部と、
前記係止部材に形成され、前記雌側ハウジングが前記フード部内に嵌合した状態において、前記雌端子金具を係止して抜止めする抜止部と、
前記端子収容室の内壁部のうち前記切欠部の開口縁内周部に連なる領域を基端部として片持ち状に延出した形態であって、前記雌端子金具を係止して抜止めするランスとを備えており、
前記ランスの前記基端部と前記切欠部の前記開口縁内周部が、前記ロック用受け部として機能するようになっているところに特徴を有する。
【発明の効果】
【０００６】
係止部材は、ハウジング同士を嵌合状態にロックするためのロック機能と、雌側ハウジング内の雌端子金具を抜止めするための抜止め機能とを兼ね備えている。したがって、ロック手段と抜止め手段を互いに独立して変位するように設ける場合に比べて、構造を簡素化することができる。また、係止部材が退避形態から係止形態へ変位する際に、ロック部と抜止部が共通の切欠部内に進入するので、ロック部の進入経路と抜止部の進入経路を別々に設ける場合に比べて、雌側ハウジングの形状が簡素化されている。さらに、ロック用受け部とロック部との係止代が大きくなるので、ロック機能の信頼性が高い。
【図面の簡単な説明】
【０００７】
【図１】実施例１において雄側ハウジングと雌側ハウジングを嵌合した状態をあらわす側断面図
【図２】雄側ハウジングの側断面図
【図３】雌側ハウジングの側断面図
【図４】図３のＸ−Ｘ線断面図
【図５】図３のＹ−Ｙ線断面図
【図６】雄側ハウジングの斜視図
【図７】雄側ハウジングの背面図
【発明を実施するための形態】
【００１０】
（１）本発明のコネクタは、前記係止部材が、前記フード部に対しヒンジ部を介して連なっていてもよい。この構成によれば、フード部と係止部材を独立した部品とした場合に比べて、部品点数を削減することができる。
【００１１】
＜実施例１＞
以下、本発明を具体化した実施例１を図１〜図７を参照して説明する。本実施例のコネクタは、雄側ハウジング１０と、雌側ハウジング４０とを備えて構成され、両ハウジング１０，４０は、その前面（正面）同士を対向させた状態で接近させることによって嵌合されるようになっている。尚、以下の説明において、前後方向は、各ハウジング１０，４０毎に定義する。また、上下方向は、各図にあらわれる向きを基準として定義する。
【００１２】
＜雄側ハウジング１０＞
雄側ハウジング１０は、合成樹脂製であり、図１，２に示すように、前後方向に細長い端子保持部１１と、端子保持部１１の前端面（図１，２における右側の端面）の外周縁から前方へ角筒状に延出した形態のフード部１２とを一体に形成して構成されている。端子保持部１１内には、後端面に開口された雄側端子収容室１３が１室形成されている。雄側端子収容室１３内には、その内壁に沿って前方へ片持ち状に延出した形態の雄側ランス１４が形成されている。
【００１３】
雄側端子収容室１３内には、後方から雄端子金具３０が挿入されている。雄端子金具３０は前後方向に細長く成形され、雄端子金具３０の前端部には、端子本体部３１から前方へ突出した形態のタブ３２が形成され、タブ３２はフード部１２内に収容されている。端子本体部３１の外面には雄側抜止め突起３３が形成されている。正規位置に挿入された雄端子金具３０は、雄側抜止め突起３３を雄側ランス１４に係止させることにより、抜止め状態に保持されている。雄端子金具３０の後端部には雄側電線３４が接続されている。
【００１４】
また、端子保持部１１には、リテーナ１５が揺動可能に形成されている。リテーナ１５は、端子保持部１１の下面に形成したスリット１６を通して雄側端子収容室１３内に進入し得るようになっている。雄側端子収容室１３に挿入された雄端子金具３０は、端子本体部３１の後端にリテーナ１５が係止することにより、抜止め状態に保持されている。
【００１５】
フード部１２には、係止部材１７がヒンジ部１９を介して揺動可能に一体形成されている。係止部材１７は、両ハウジング１０，４０を嵌合状態にロックするためのロック機能と、フード部１２内に雌側ハウジング４０が嵌合した状態において雌側ハウジング４０内に挿入されている雌端子金具５０を抜止めするための抜止め機能とを兼ね備えた部材である。フード部１２を構成する上壁部には、前後方向に細長いスリット状をなし、フード部１２の内外を連通させる逃がし孔１８が形成されている。逃がし孔１８の開口縁における前端縁部には、ヒンジ部１９の基端が連なっている。そして、ヒンジ部１９の先端に係止部材１７の基端が連なっている。
【００１６】
係止部材１７は、全体として雄側ハウジング１０の幅方向（左右方向）と直角な一枚板状をなしている。係止部材１７の前端がヒンジ部１９に連なっている。係止部材１７は、ヒンジ部１９を略支点として、図１に示すように大部分が逃がし孔１８内に進入してフード部１２内に収容された係止形態と、図２に示す全体がフード部１２の外部上方へ露出した退避形態との間で、上下方向に揺動し得るようになっている。係止部材１７の揺動方向は、係止部材１７の左右両板面（側面）と平行である。
【００１７】
係止部材１７の側面視形状は、各辺の長さが異なる非正五角形である。係止部材１７の外縁のうちヒンジ部１９から最も遠い前縁部は、係止機能部２０となっている。係止機能部２０は、面一状に並ぶ抜止部２１とロック部２２とによって構成されている。係止部材１７が退避形態から係止形態へ揺動変位する際において、揺動方向前方側に抜止部２１が位置し、揺動方向後方側にロック部２２が位置する。つまり、係止部材１７が係止形態であるときに、抜止部２１はロック部２２よりも下方に位置する。
【００１８】
図６，７に示すように、係止部材１７のうち係止形態においてもフード部１２の外部に露出したままとなる上縁部には、左右一対の係止リブ２３が突出形成されている。また、図７に示すように、フード部１２の上壁部の上面には、逃がし孔１８を挟むように配された左右一対の係止溝２４が形成されている。係止部材１７が係止形態に変位すると、係止リブ２３が係止溝２４に係止することにより、係止部材１７は係止形態に保持されるようになっている。係止リブ２３と係止溝２４の係止はセミロック構造であるから、係止部材１７を係止形態から退避形態へ変位させる際には、係止リブ２３と係止溝２４との係止力を上回る上向きの力を係止部材１７に付与すれば、係止部材１７を退避形態へ変位させることができる。
【００１９】
＜雌側ハウジング４０＞
雌側ハウジング４０は、合成樹脂製であり、全体として前後方向に細長い形態である。雌側ハウジング４０内には、前後方向に細長い１室の雌側端子収容室４１が形成されている。雌側端子収容室４１は、その前端側領域（図１における左側の領域）に配された前部室４２と、後端側領域に配された後部室４３とから構成されている。図４，５に示すように、前部室４２の幅寸法Ｗｆは、後部室４３の幅寸法Ｗｒに比べて小さく設定されている。雌側端子収容室４１（後部室４３）の後端は、導出口４４として外部へ開口している。前部室４２には、その上壁面に沿って前方へ片持ち状に延出した形態の雌側ランス４５が形成されている。雌側ランス４５は、雌側端子収容室４１の内壁から突出した基端部４６を支点として上下方向へ弾性撓みし得るようになっている。
【００２０】
雌側ハウジング４０には、その上面から雌側端子収容室４１内に連通する切欠部４７が形成されている。切欠部４７は、前後方向に細長く、切欠部４７の開口幅寸法Ｗｓは、前部室４２の幅寸法Ｗｆ及び後部室４３の幅寸法Ｗｒよりも小さい寸法に設定されている。前後方向における切欠部４７の形成範囲は、後部室４３の前端から雌側端子収容室４１の後端に至る領域である。そして、切欠部４７の後端は、導出口４４の上端とに連通している。切欠部４７の開口領域の前端における開口縁内周部４８の後面は、雌側ランス４５の基端部４６の後面に対し面一状に連なっている。そして、この雌側ランス４５の基端部４６と開口部内周部は、ロック用受け部４９として機能する。
【００２１】
雌端子金具５０は、全体として前後方向に細長く成形されている。雌端子金具５０の前端部には角筒部５１が形成され、角筒部５１内には、雄端子金具３０のタブ３２に対して弾性的に接触する弾性接触片５２が収容されている。角筒部５１の外面には、雌側抜止め突起５３が形成されている。角筒部５１の後端は、抜止め用受け部５４として機能する。雌端子金具５０の後端部の圧着部５５には、雌側電線５６が接続されている。
【００２２】
雌端子金具５０は、雌側ハウジング４０の後方から雌側端子収容室４１内に挿入される。ここで、角筒部５１の幅寸法は、前部室４２の幅寸法Ｗｆよりも僅かに小さい寸法、つまり、切欠部４７の開口幅寸法Ｗｓより小さい寸法に設定されている。また、圧着部５５の幅寸法は、後部室４３の幅寸法Ｗｒよりも僅かに小さい寸法、即ち前部室４２の幅寸法Ｗｆ及び切欠部４７の開口幅寸法Ｗｓよりも大きい寸法に設定されている。したがって、後部室４３に連通する切欠部４７が形成されていても、雌端子金具５０が上方へ位置ずれして切欠部４７内に不正に進入する虞はない。
【００２３】
雌側端子収容室４１内に正規挿入された雌端子金具５０は、その雌側抜止め突起５３を雌側ランス４５に係止させることにより、抜止め状態に保持される。雌端子金具５０が正規挿入された状態では、角筒部５１の後端の抜止め用受け部５４は、前後方向においてロック用受け部４９とほぼ同じ位置に配置される。つまり、ロック用受け部４９と抜止め用受け部５４が、上下にほぼ面一状に並ぶように配置される。
【００２４】
＜両ハウジング１０，４０の嵌合＞
両ハウジング１０，４０を嵌合する際には、雄端子金具３０を、雄側ハウジング１０に挿入して、雄側ランス１４とリテーナ１５により抜止め状態に保持する。また、係止部材１７は退避形態に保持しておく。一方、雌側ハウジング４０においては、雌端子金具５０を、雌側端子収容室４１内に挿入して雌側ランス４５により抜止め状態に保持しておく。
【００２５】
この状態では、フード部１２内に雌側ハウジング４０を嵌入する。嵌入の過程では、係止部材１７と雌側ハウジング４０が干渉することはない。そして、両ハウジング１０，４０が正規の嵌合状態に至ると、タブ３２が角筒部５１内に進入して弾性接触片５２と接触し、両端子金具３０，５０が接続状態になる。両ハウジング１０，４０が正規の嵌合状態になると、雌側ハウジング４０の切欠部４７とフード部１２の逃がし孔１８が、前後方向において対応する位置関係となる。つまり、切欠部４７の上方に係止部材１７が位置する状態となる。
【００２６】
両ハウジング１０，４０を嵌合した後は、係止部材１７を退避形態から係止形態へ揺動させる。揺動過程では、係止部材１７が逃がし孔１８と切欠部４７を通過しながら雌側端子収容室４１の後部室４３内に進入する。そして、係止部材１７が係止形態に至ると、図１に示すように、係止部材１７のロック部２２が、雌側ハウジング４０のロック機能部に対しその後方から接近して対向する状態になるとともに、係止部材１７の抜止部２１が、雌端子金具５０の抜止め用受け部５４に対しその後方から接近して対向する状態となる。
【００２７】
この状態で、フード部１２から雌側ハウジング４０を後方へ離脱させようとすると、ロック部２２とロック用受け部４９とが係止することにより、両ハウジング１０，４０の離脱が規制される。また、雌側電線５６を摘んで後方へ雌端子金具５０を引っ張った場合も、抜止部２１と抜止め用受け部５４とが係止することにより、両ハウジング１０，４０の離脱が規制される。勿論、雌側ハウジング４０から雌端子金具５０が後方へ外れることも規制される。
【００２８】
本実施例のコネクタは、フード部１２を有する雄側ハウジング１０と、フード部１２内に嵌合される雌側ハウジング４０と、雌側ハウジング４０内に挿入される雌端子金具５０とを備えている。フード部１２には、フード部１２内に位置する係止形態と、フード部１２外へ退避した退避形態との間で変位可能な係止部材１７が設けられている。係止部材１７には、フード部１２内に嵌合された雌側ハウジング４０を係止して抜止めするロック部２２と、雌側ハウジング４０がフード部１２内に嵌合した状態において雌端子金具５０を係止して抜止めする抜止部２１とが形成されている。このように、係止部材１７は、ハウジング同士を嵌合状態にロックするためのロック機能と、雌側ハウジング４０内の雌端子金具５０を抜止めするための抜止め機能とを兼ね備えている。したがって、ロック手段と抜止め手段を互いに独立して変位するように設ける場合に比べると、構造が簡素化されている。
【００２９】
また、雌側ハウジング４０には、雌端子金具５０を収容するためにの雌側端子収容室４１と、雌側ハウジング４０の外面から雌側端子収容室４１内に連通した形態であって係止形態の係止部材１７を進入させる切欠部４７と、切欠部４７に形成されてロック部２２と係止可能なロック用受け部４９とが形成されている。この構成によれば、係止部材１７が退避形態から係止形態へ変位する際に、ロック部２２と抜止部２１が共通の切欠部４７内に進入する。したがって、ロック部の進入経路と抜止部の進入経路を別々に設ける場合に比べると、雌側ハウジング４０の形状が簡素化されている。
【００３０】
また、雌側ハウジング４０は、端子収容室の内壁部のうち切欠部４７の開口縁内周部４８に連なる領域を基端部４６として片持ち状に延出した形態であって、雌端子金具５０を係止して抜止めする雌側ランス４５が形成されている。そして、ランスの基端部４６と切欠部４７の開口縁内周部４８が、ロック用受け部４９として機能するようになっている。この構成によれば、ロック用受け部４９とロック部２２との係止代が、雌側ランス４５の基端部４６の分だけ大きくなっているので、ロック機能の信頼性が高い。また、係止部材１７は、フード部１２に対しヒンジ部１９を介して連なっているので、フード部と係止部材を独立した部品とした場合に比べて、部品点数が削減されている。
【００３１】
＜他の実施例＞
本発明は上記記述及び図面によって説明した実施例に限定されるものではなく、例えば次のような実施例も本発明の技術的範囲に含まれる。
（１）上記実施例では、係止部材が、フード部に対しヒンジ部を介して連なっているが、係止部材は、フード部とは別体の部品であってもよい。
（２）上記実施例では、切欠部の開口領域を、雌側ハウジングの外面のうち雌端子金具に略同軸状に接続した電線を雌側ハウジングの外部へ導出させるための導出口と連通させているが、この点に着目し、切欠部の開口幅を、雌端子金具が通過可能な寸法に設定してもよい。この構成によれば、切欠部を通して雌端子金具を端子収容室に挿入することができる。この時の雌端子金具の挿入方向は、電線の軸線と交差する方向となるので、電線を摘んだ状態で導出口から雌端子金具を軸線方向に端子収容室に挿入する場合に比べると、雌端子金具の変形や電線の座屈が生じ難い。
（３）上記実施例では、切欠部と導出口とを連通させたが、切欠部の開口領域と導出口の開口領域とを互いに独立して非連通の形態としてもよい。
（４）上記実施例では、極数（雄端子金具と雌端子金具とによる導電路の数）が１極である場合について説明したが、本発明は、極数が複数極である場合にも適用できる。
＜参考例＞
（１）上記実施例では、ロック部と抜止部が共通の切欠部内に進入するようにしたが、ロック部の進入経路と抜止部の進入経路を別々に設ける形態も考えられる。
（２）上記実施例では、ランスの基端部と切欠部の開口縁内周部の両方が、ロック用受け部として機能するようにしたが、ロック用受け部として機能するのを、ランスの基端部と切欠部の開口縁内周部のうちいずれか一方だけとする形態の考えられる。
【符号の説明】
【００３２】
１０…雄側ハウジング
１２…フード部
１７…係止部材
１９…ヒンジ部
２１…抜止部
２２…ロック部
４０…雌側ハウジング
４１…雌側端子収容室（端子収容室）
４５…雌側ランス（ランス）
４６…雌側ランスの基端部
４７…切欠部
４８…切欠部の開口縁内周部
４９…ロック用受け部
５０…雌端子金具
【図１】
0006015631.tif 000002
【図２】
0006015631.tif 000003
【図３】
0006015631.tif 000004
【図４】
0006015631.tif 000005
【図５】
0006015631.tif 000006
【図６】
0006015631.tif 000007
【図７】
0006015631.tif 000008